(57)【要約】【課題】複数の大人とともに子供も好適に着席可能なシートを提供する。【解決手段】シート１は、左右方向Ｘに長い座部２及び背凭れ部３を備えて、複数人が着席可能なもので、座部２は、大人少なくとも一名が着席可能な幅を有するとともに、背凭れ部３から張り出して上面に着座可能とした着席位置Ａと着席位置Ａから起き上がった収納位置Ｂとの間で背凭れ部３１に対して回転可能に、左右方向Ｘに複数配設された大人用座２１と、大人用座２１の間に設けられ、子供少なくとも一名が着席可能な幅を有するとともに、大人用座２１よりも小さい奥行きを有して背凭れ部３から張り出す子供用座２２とを備える。【選択図】図１
2009148353.tif 000002
【特許請求の範囲】
【請求項１】
左右方向に長い座部及び背凭れ部を備えて、複数人が着席可能なシートであって、
前記座部は、大人少なくとも一名が着席可能な幅を有するとともに、前記背凭れ部から張り出して上面に着座可能とした着席位置と該着席位置から起き上がった収納位置との間で前記背凭れ部に対して回転可能に、左右方向に複数配設された大人用座と、
該大人用座の間に設けられ、子供一名が着席可能な幅を有するとともに、前記大人用座よりも小さい奥行きを有して前記背凭れ部から張り出す子供用座とを具備することを特徴とするシート。
【請求項２】
請求項１に記載のシートにおいて、
前記座部の前記子供用座は、前記背凭れ部に対して固定されていることを特徴とするシート。
【請求項３】
請求項２に記載のシートにおいて、
前記座部の前記子供用座は、上面の高さが前記大人用座の上面と略等しく設定されているとともに、嵩上げ用シートを載置することで、着座する高さを上方に調整可能であることを特徴とするシート。
【請求項４】
請求項１から請求項３のいずれかに記載のシートにおいて、
前記背凭れ部は、前記子供用座が設けられる位置で前面に凹部が形成されているとともに、該凹部に収納された第一の位置から前方に向かって突出した第二の位置まで回転可能に取り付けられ、該第二の位置で前記テーブルとしても使用可能である肘置きを有することを特徴とするシート。
【発明の詳細な説明】
【技術分野】
【０００１】
本発明は、複数人が着席可能なシートに関し、特に、大人と子供とが着席可能なものに関する。
【背景技術】
【０００２】
従来から、複数人が着席可能なシートとして、座部及び背凭れ部が左右方向に長いペアシートや長椅子などが使用されてきている。近年、多数の観客を収容する映画館などにおいても、従来のように各人が着席可能な椅子を並べるのではなく、ペアあるいはグループが一体感をもって着席可能なペアシートあるいは長椅子が使用されてきている。ここで、このようなシートに子供を着席させる場合には、座部にチャイルドシートを載置し、当該チャイルドシート上に着席させるようにして使用していた（例えば、特許文献１参照）。
【特許文献１】特開２００５−１９２８５９号公報
【発明の開示】
【発明が解決しようとする課題】
【０００３】
しかしながら、特許文献１のように、複数人着席可能なシートの座部にチャイルドシートを使用して子供を着席させる場合、当該シートの各人が着席する各座の寸法が大人用に設定されているので、子供が着席するには大きかった。すなわち、子供にとって幅寸法が大きいことで、同伴する大人との距離感が生じてしまう問題があった。また、奥行き寸法が大きいので、チャイルドシート上で背凭れに体を預けて着席した子供の足が、座の前端に引っ掛かってしまい着席しづらい問題があった。
【０００４】
この発明は、上述した事情に鑑みてなされたものであって、複数の大人とともに子供も好適に着席可能なシートを提供するものである。
【課題を解決するための手段】
【０００５】
上記課題を解決するために、この発明は以下の手段を提案している。
本発明は、左右方向に長い座部及び背凭れ部を備えて、複数人が着席可能なシートであって、前記座部は、大人少なくとも一名が着席可能な幅を有するとともに、前記背凭れ部から張り出して上面に着座可能とした着席位置と該着席位置から起き上がった収納位置との間で前記背凭れ部に対して回転可能に、左右方向に複数配設された大人用座と、該大人用座の間に設けられ、子供少なくとも一名が着席可能な幅を有するとともに、前記大人用座よりも小さい奥行きを有して前記背凭れ部から張り出す子供用座とを備えることを特徴としている。
【０００６】
この構成によれば、各大人は、座部において、複数配設された大人用座のいずれかを選択し、当該大人用座を収納位置から着席位置となるように背凭れ部に対して回転させることで、着席することができる。また、子供は、座部において、子供用座を選択して着席することができる。ここで、子供用座は、子供一名が着席可能な幅を有するので、子供と、隣接する大人用座に着席する大人とは、一体感をもって着席することができる。また、子供用座は、大人用座よりも小さい奥行きを有して背凭れ部から張り出していることから、子供は、大人用座の間で、足が当該子供用座の前端に引っ掛かってしまうことなく、好適に着席することができる。一方、不使用時には、大人用座を収納位置とすることで、前後方向における奥行き寸法を小さくしてコンパクトな状態とすることができる。特に、映画館のようにシートを前後方向に並べて配設するようにして使用したとしても、不使用時において必要な通路幅を確実に確保することができる。
【０００７】
また、前記座部の前記子供用座は、前記背凭れ部に対して固定されていることが好ましい。
【０００８】
この構成によれば、子供用座は、背凭れ部に対して固定されていて、収納位置から着席位置まで回転させるなどの操作が不要であることから、小さな子供でも好適に使用し、当該子供用座に着席することができる。
【０００９】
また、前記座部の前記子供用座は、上面の高さが、前記大人用座の上面と略等しく設定されているとともに、嵩上げ用シートを載置することで、着座位置を上方に調整可能であることが好ましい。
【００１０】
この構成によれば、子供用座の上面と大人用座の上面との高さが略等しいことで、大人のみで使用する際に、間に段差などが無く、隣り合う者同士で一体感をもって着席することができる。また、子供用座が嵩上げ用シートを載置することで着座する高さを上方に調整可能であることで、子供が着席した時に目線の位置を高くすることができる。
【００１１】
また、前記背凭れ部は、前記子供用座が設けられる位置で前面に凹部が形成されているとともに、該凹部に収納された第一の位置から前方に向かって突出した第二の位置まで回転可能に取り付けられ、該第二の位置で前記テーブルとしても使用可能である肘置きを有することが好ましい。
【００１２】
この構成によれば、大人のみで使用する際に、肘置きを第二の位置とすることで、子供が着席する空間を肘を配置する場所として有効利用することができる。また、当該肘置きはテーブルとして使用可能であることで、使用者の飲み物等を載置することもできる。また、子供が着席する際には、肘置きを回転させて第一の位置とすることで、肘置きは背凭れ部の凹部に収納され、支障無く着席することができる。
【発明の効果】
【００１３】
本発明のシートによれば、大人用座と子供用座とを具備する座部を備えることで、複数の大人とともに子供も好適に着席することができる。
【発明を実施するための最良の形態】
【００１４】
図１から図４は、この発明に係る実施形態を示している。図１から図４に示すように、この実施形態のシート１は、子供を含む複数人、例えば大人２名と、子供１名とが大人の間に子供を配置して着席可能なものである。シート１は、大人と子供とで構成される使用者らが着席する座部２と、着席した使用者の上半身を後方で支持する背凭れ部３と、座部２及び背凭れ部３を床面Ｆに対して支持する脚部４とで概略構成されている。脚部４は、左右方向Ｘ両側で立設されている一対の第一の脚体４１と、中央で左右方向Ｘに並べて立設されている一対の第二の脚体４２の計四脚で構成されている。
【００１５】
ここで、座部２は、大人一名が着席可能に、左右方向Ｘにおける幅寸法及び前後方向Ｙにおける奥行き寸法を有して左右方向Ｘ両側にそれぞれ配設された大人用座２１と、大人用座２１の間に配設された子供用座２２とを具備している。そして、大人用座２１は、各第一の脚体４１と第二の脚体４２との間で中心軸周りに回転可能に配設された軸部材２３に固定されていて、これにより、背凭れ部３から張り出して上面２１ａに着座可能な着席位置Ａと、着席位置Ａから起き上がった収納位置Ｂとの間で脚部４及び背凭れ部３に対して回転可能となっている。ここで、軸部材２３は、図示しない付勢手段によって軸回りに付勢されていて、これにより大人用座２１は、着座していない状態で収納位置Ｂとなるようになっている。また、子供用座２２は、幅寸法及び奥行き寸法が、子供一名が着席可能な寸法に設定されていて、背凭れ部３に対して固定されていて、上面２２ａに着座可能に張り出している。
【００１６】
また、背凭れ部３は、左右方向Ｘに延設された背凭れ本体３１と、子供用座２２と対応する位置に配設された子供用背凭れ３２とを具備している。また、背凭れ本体３１の左右方向Ｘ両側には、前方へ突出する側板３３が固定されており、側板３３の上端部には、肘置き板３４が設けられている。なお、肘置き板３４にはカップホルダ３４ａなども設けられている。そして、側板３３の下端部に第一の脚体４１がそれぞれ固定されていることで、背凭れ部３において背凭れ本体３１は、床面Ｆに対して支持されている。また、背凭れ本体３１の前面において、子供用座２２及び子供用背凭れ３２と対応する位置には、上下方向Ｚに延びる凹部３１ａが形成されていて、肘置き３５が収容されている。肘置き３５は、背凭れ本体３１に回転可能に軸支されており、これにより凹部３１ａに収容された第一の位置Ｃから背凭れ本体３１から突出した第二の位置Ｄまで回転可能となっている。また、肘置き３５は、第二の位置Ｄにおいて、上面３５ａとなる部分が樹脂などの硬質の部材で形成されており、下面３５ｂとなる部分が背凭れ本体３１の前面側と同じクッション材などで形成されている。
【００１７】
また、本実施形態では、子供用座２２は、子供用背凭れ３２と一体となっており、略Ｌ字状に形成されている。そして、子供用背凭れ３２の下端部に一対の第二の脚体４２が固定されていることで、子供用座２２及び子供用背凭れ３２は床面Ｆに対して支持されている。ここで、背凭れ本体３１の下端部には、子供用座２２と対応する位置で切欠き部３１ｂが形成されていて、子供用背凭れ３２は、前面３２ａが背凭れ本体３１の前面３１ｃと略一致するようにして、切欠き部３１ｂに収容されている。また、子供用座２２は、上面２２ａの高さが、着席位置Ａにおける大人用座２１の上面２１ａと略等しく設定されている。
【００１８】
次に、この実施形態のシート１の作用について説明する。図１に示すように、このシート１に大人２名及び子供１名が着席する際には、大人は、収納位置Ｂにある大人用座２１を図示しない付勢手段に抗して回転させて着席位置Ａとすることで着席することができる。また、子供は、子供用座２２が背凭れ部３に対して固定されていることで、大人用座２１のように収納位置Ｂから着席位置Ａまで回転させるなどの操作をする必要なく着席することができ、小さな子供でも好適に使用し着席することができる。また、必要に応じて子供用座２２の上面２２ａに嵩上げ用シート５を載置することで、着座する高さを上方に調整し、子供が着席した時の目線の位置を高くすることができる。なお、上記のように、子供用座２２が背凭れ部３に固定されて回転しないことから、嵩上げ用シート５を載置して着座する高さを調整する際にも、子供用座２２が回転するなどして嵩上げ用シート５がずれてしまうことなく、好適に調整して着席することができる。
【００１９】
図３は、このシート１に大人２名、子供１名が着席した状態を示している。図３に示すように、子供用座２２は、子供一名が着席可能な幅を有するので、子供と、隣接する大人用座２１に着席する同伴の大人とは、離間距離を小さくして一体感をもって着席することができる。また、大人も子供も背凭れ部３によって前後方向Ｙに略同じ位置で支えられていることから、より一体感をもって着席することができる。また、子供用座２２は、大人用座２１よりも小さい奥行きを有して背凭れ部３から張り出していることから、子供は、大人用座２１の間で、足が当該子供用座２２の前端２２ｂに引っ掛かってしまうことなく、好適に着席することができる。
【００２０】
一方、不使用時には、図４に示すように、大人用座２１は、図示しない付勢手段により収納位置Ｂまで起き上がることとなり、奥行き寸法を小さくしてコンパクトな状態とすることができる。また、子供用座２２は、背凭れ部３から張り出したままであるが奥行き寸法が大人用座２１よりも小さく設定されており、前端２２ｂが着席位置Ａの大人用座２１よりも背凭れ部３側となるように設定されている。このため、図４に示し、映画館などのように前後方向Ｙに複数のシート１を並べる場合でも、前後のシート１の離間寸法について、使用時には、上記効果を奏しつつ、使用者の足が配置可能な最小限の大きさ（例えば、２０ｃｍ程度）に抑えることができる一方、不使用時には、必要な通路幅（例えば、消防法上で３５ｃｍ以上）を確実に確保することができる。
【００２１】
また、本実施形態のシート１では、子供用座２２の上面２２ａと大人用座２１の上面２１ａとの高さが略等しく設定されている。このため、大人のみで使用する際に、間に段差などが無く、隣り合う者同士で一体感をもって着席することができる。さらに、本実施形態のシート１では、肘置き３５を回転して第二の位置Ｄとすることで、子供が着席する位置に肘を配置してより好適に使用することが可能となる。また、肘置き３５は、上面３５ａが樹脂などの硬質の材質で形成され、テーブルとしても使用することができ、使用者の飲み物等も載置することができてより好適に使用可能となる。
【００２２】
以上、本発明の実施形態について図面を参照して詳述したが、具体的な構成はこの実施形態に限られるものではなく、本発明の要旨を逸脱しない範囲の設計変更等も含まれる。
【００２３】
なお、上記実施形態では、大人用座２１を二つとし、その間に一つの子供用座２２を配置するものとしたが、これに限る事無く、大人用座２１及び子供用座２２いずれも多数連結するものとしても良い。また、大人用座２１及び子供用座２２は、一名が着席可能な幅寸法を有するものとしたが、これに限るものでは無く、複数名同時に着席可能な幅としても良い。また、背凭れ部３において、背凭れ本体３１は左右方向Ｘに延設されているものとしたが、各大人用座２１及び子供用座と対応して分割されたものが連結されているものとしても良い。また、背凭れ本体３１と子供用背凭れ３２とが一体となっていても良い。また、子供用座２２は、背凭れ部３に対して固定されているものとしたが、これに限るものでは無く、大人用座２１と同様に回転可能な構成としても良い。
【図面の簡単な説明】
【００２４】
【図１】この発明の実施形態のシートの斜視図である。
【図２】この発明の実施形態のシートの正面図である。
【図３】この発明の実施形態のシートの上面図である。
【図４】この発明の実施形態のシートを前後に配置して使用した場合の説明図である。
【符号の説明】
【００２５】
１  シート
２  座部
３  背凭れ部
５  嵩上げシート
２１  大人用座
２２  子供用座
３１ａ  凹部
３５  肘置き板
Ａ  着席位置
Ｂ  収納位置
Ｃ  第一の位置
Ｄ  第二の位置
Ｘ  左右方向
Ｙ  前後方向
【図１】
2009148353.tif 000003
【図２】
2009148353.tif 000004
【図３】
2009148353.tif 000005
【図４】
2009148353.tif 000006